(57)【要約】【課題】情報処理装置との連動性を向上させる。【解決手段】表示装置１０は、コネクタ１１および制御部１２を有する。コネクタ１１には信号線３が接続される。信号線３を通じて、情報処理装置２０の電源状態を変更するための電源制御信号が送信される。制御部１２は、コネクタ１１に対する信号線３の接続を検知したとき、表示装置１０の電源状態を情報処理装置２０の電源状態に基づいて変更する。例えば、表示装置１０が電源オフ、情報処理装置２０が電源オンの状態で、コネクタ１１に信号線３が接続されると、制御部１２は、表示装置１０を電源オンの状態に変更する。【選択図】図１
2014197259.tif 000002
【特許請求の範囲】
【請求項１】
情報処理装置から受信した画像信号に基づいて画像を表示する表示装置において、
前記情報処理装置の電源状態を変更するための電源制御信号を、前記情報処理装置に送信するための信号線が接続されるコネクタと、
前記コネクタに対する前記信号線の接続を検知したとき、前記表示装置の電源状態を前記情報処理装置の電源状態に基づいて変更する制御部と、
を有することを特徴とする表示装置。
【請求項２】
情報処理装置と、前記情報処理装置から受信した画像信号に基づいて画像を表示する表示装置とを含む表示システムにおいて、
前記表示装置は、
前記情報処理装置の電源状態を変更するための電源制御信号を、前記情報処理装置に送信するための信号線が接続されるコネクタと、
前記コネクタに対する前記信号線の接続を検知したとき、前記表示装置の電源状態を前記情報処理装置の電源状態に基づいて変更する第１の制御部と、
を有し、
前記表示装置は、前記信号線を通じて受信した前記電源制御信号に応じて前記表示装置の電源状態を変更する第２の制御部を有する、
ことを特徴とする表示システム。
【請求項３】
前記表示装置は、電源スイッチをさらに有し、
前記電源制御信号は、前記電源スイッチへの操作に応じて出力される、
ことを特徴とする請求項２記載の表示システム。
【請求項４】
前記第１の制御部は、
前記コネクタに前記信号線が接続されている場合、前記表示装置の電源状態を前記情報処理装置の電源状態に基づいて変更し、
前記コネクタに前記信号線が接続されていない場合、前記電源スイッチへの操作が行われたとき、その時点における前記表示装置の電源状態に基づいて前記表示装置の電源状態を変更する、
ことを特徴とする請求項３記載の表示システム。
【請求項５】
情報処理装置から受信した画像信号に基づいて画像を表示する表示装置における電源状態制御方法であって、
前記情報処理装置の電源状態を変更するための電源制御信号を、前記情報処理装置に送信するための信号線が、前記表示装置のコネクタに接続されたかを検知し、
前記コネクタに対する前記信号線の接続を検知したとき、前記表示装置の電源状態を前記情報処理装置の電源状態に基づいて変更する、
ことを特徴とする電源状態制御方法。
【発明の詳細な説明】
【技術分野】
【０００１】
本発明は、表示装置、表示システムおよび電源状態制御方法に関する。
【背景技術】
【０００２】
一般的に、パーソナルコンピュータ等の情報処理装置は、表示装置と接続して使用される。そして、表示装置は、情報処理装置から出力された画像信号に基づいて画像を表示する。
【０００３】
また、情報処理装置に接続される表示装置に関する技術としては、例えば、表示装置に設けられた電源スイッチが押下されると、表示装置がコンピュータに対して起動指示キーまたは遮断指示キーと同一のコードを送付する技術がある。
【先行技術文献】
【特許文献】
【０００４】
【特許文献１】特開２００９−９８７５３号公報
【発明の概要】
【発明が解決しようとする課題】
【０００５】
上記技術のように、表示装置の電源スイッチを用いて情報処理装置に起動指示や遮断指示を行えるようにすることで、ユーザの利便性が高まる。しかし、この技術は単に表示装置から情報処理装置への一方向の制御を可能にするのみであり、表示装置と情報処理装置との連動性が高いとは言えなかった。
【０００６】
１つの側面では、本発明は、情報処理装置との連動性が向上された表示装置、表示システムおよび電源状態制御方法を提供することを目的とする。
【課題を解決するための手段】
【０００７】
１つの案では、情報処理装置から受信した画像信号に基づいて画像を表示する表示装置が提供される。この表示装置は、コネクタおよび制御部を有する。コネクタには、情報処理装置の電源状態を変更するための電源制御信号を、情報処理装置に送信するための信号線が接続される。制御部は、コネクタに対する信号線の接続を検知したとき、表示装置の電源状態を情報処理装置の電源状態に基づいて変更する。
【０００８】
また、１つの案では、情報処理装置と、この情報処理装置から受信した画像信号に基づいて画像を表示する表示装置とを含む表示システムが提供される。この表示システムにおいて、表示装置は、コネクタおよび第１の制御部を有する。コネクタには、情報処理装置の電源状態を変更するための電源制御信号を、情報処理装置に送信するための信号線が接続される。第１の制御部は、コネクタに対する信号線の接続を検知したとき、表示装置の電源状態を情報処理装置の電源状態に基づいて変更する。一方、表示装置は、信号線を通じて受信した電源制御信号に応じて表示装置の電源状態を変更する第２の制御部を有する。
【０００９】
さらに、１つの案では、上記表示装置と同様の処理を実行する電源状態制御方法が提供される。
【発明の効果】
【００１０】
一態様によれば、情報処理装置との連動性が向上する。
【図面の簡単な説明】
【００１１】
【図１】第１の実施の形態の表示システムの構成例および処理例を示す図である。
【図２】第２の実施の形態の表示システムの構成例を示す図である。
【図３】モニタ装置のハードウェア構成例を示す図である。
【図４】情報処理装置のハードウェア構成例を示す図である。
【図５】モニタ装置および情報処理装置の機能例を示すブロック図である。
【図６】ケーブルの接続状態の切り替え時における信号の状態の例を示す第１の図である。
【図７】ケーブルの接続状態の切り替え時における信号の状態の例を示す第２の図である。
【図８】電源制御ケーブルの接続時における電源ボタン操作時の信号の状態の例を示す図である。
【図９】電源制御ケーブルの非接続時における電源ボタン操作時の信号の状態の例を示す図である。
【図１０】電源状態別の情報処理装置の動作の例を示す図である。
【図１１】情報処理装置の電源状態別のモニタ装置の動作の例を示す図である。
【図１２】連動モードにおけるモニタ状態を設定する処理の例を示すフローチャートである。
【図１３】非連動モードにおけるモニタ状態を設定する処理の例を示すフローチャートである。
【図１４】モニタ装置の電源ボタン押下時の処理の例を示すフローチャートである。
【図１５】モニタ装置の操作により情報処理装置の電源状態をオフにする際のシーケンス例を示す図である。
【図１６】モニタ装置に電源が供給されていない状態からのシーケンス例を示す図である。
【図１７】制御信号ケーブルの抜き差しに応じた状態遷移の第１の例を示す図である。
【図１８】制御信号ケーブルの抜き差しに応じた状態遷移の第２の例を示す図である。
【図１９】連動モードにおける電源ボタン操作時の状態遷移の例を示す図である。
【図２０】非連動モードにおける電源ボタン操作時の状態遷移の例を示す図である。
【発明を実施するための形態】
【００１２】
以下、本実施の形態について図面を参照して説明する。
［第１の実施の形態］
図１は、第１の実施の形態の表示システムの構成例および処理例を示す図である。表示システムは、表示装置１０および情報処理装置２０を有する。
【００１３】
表示装置１０は、情報処理装置２０から入力された画像信号に基づいて画像を表示する装置である。表示装置１０は、コネクタ１１および制御部１２を有する。
コネクタ１１には、信号線３が接続される。信号線３は、情報処理装置２０の電源状態を変更するための電源制御信号を、情報処理装置２０に出力するためのものである。表示装置１０がどのような場合に電源制御信号を出力するかは特に限定されないが、例えば、表示装置１０が備える電源スイッチ（図示せず）が操作されたときに、信号線３を通じて電源制御信号が出力される。
【００１４】
制御部１２は、コネクタ１１に対する信号線３の接続を検知したとき、表示装置１０の電源状態を情報処理装置２０の電源状態に基づいて変更する。電源状態とは、装置内での電源供給の状態を示す。なお、制御部１２は、例えば、情報処理装置２０と接続する映像信号ケーブルを通じた入力信号に基づいて、情報処理装置２０の電源状態を判別する。
【００１５】
これにより、情報処理装置２０との連動性が向上し、表示装置１０のユーザの操作性が高まる。
例えば、図１に示すように、表示装置１０の電源状態は“電源オフ”であり、情報処理装置２０の電源状態は“電源オン”であるとする。なお、ここで言う“電源オフ”とは、少なくとも制御部１２の処理を実行するハードウェアには電源が供給されている状態である。また、表示装置１０には、信号線３が接続されていないものとする。
【００１６】
この状態で、制御部１２は、コネクタ１１への信号線３の接続を検知する（ステップＳ１）。すると、制御部１２は、表示装置１０の電源状態を、情報処理装置２０の電源状態に基づいて、例えば“電源オン”に変更する（ステップＳ２）。この場合、表示装置１０は、例えば、情報処理装置２０からの画像信号に基づく画像の表示を開始する。
【００１７】
表示装置１０に信号線３が接続されることで、情報処理装置２０の電源状態を表示装置１０側から制御できる状態になる。本実施の形態では、これに加えて、表示装置１０の電源状態が情報処理装置２０の電源状態に基づいて自動的に変更される。
【００１８】
ユーザは、信号線３を表示装置１０に接続することで、情報処理装置２０の電源状態を表示装置１０側から制御できる状態になることを認識できると考えられる。このような状態において、表示装置１０の電源状態が情報処理装置２０の電源状態に基づく状態に変更されることで、表示装置１０の電源状態がユーザが期待する状態になる可能性が高まる。従って、表示装置１０と情報処理装置２０との連動性が向上する結果、表示装置１０のユーザの使い勝手を良くすることができる。
【００１９】
［第２の実施の形態］
図２は、第２の実施の形態の表示システムの構成例を示す図である。
図２に示すモニタ装置１００は、ディスプレイ１０１、発光ランプ１０２、電源ボタン１０３および電源コンセント１０４を有する。また、モニタ装置１００には、制御信号ケーブル３１および映像信号ケーブル３２を接続可能になっている。
【００２０】
モニタ装置１００は、外部の情報処理装置から出力された映像信号を映像信号ケーブル３２を介して受信し、その映像信号に基づいて画像をディスプレイ１０１に表示する。ディスプレイ１０１は、例えば、液晶ディスプレイ（ＬＣＤ：Liquid Crystal Display）や有機ＥＬ（Electro Luminescence）ディスプレイ等の表示デバイスである。
【００２１】
映像信号ケーブル３２は、例えば、ＶＧＡ（Video Graphics Array）やＤＶＩ（Digital Visual Interface）等の映像信号伝送用の規格に準拠したケーブルである。また、映像信号ケーブル３２は、ＤＤＣ（Display Data Channel）規格に基づく信号を伝送することが可能になっている。
【００２２】
発光ランプ１０２は、電源状態や動作モードをユーザに通知するために設けられたものであり、例えば、ＬＥＤ（Light Emitting Diode）が使用される。電源ボタン１０３は、電源状態を切り替えるためにユーザが操作するボタンスイッチである。電源コンセント１０４は、モニタ装置１００が駆動電力の供給を受けるための端子である。
【００２３】
また、モニタ装置１００は、接続された情報処理装置と連動する機能を有する。この連動機能に関し、モニタ装置１００は、連動モードと非連動モードのいずれかの動作モードで動作する。
【００２４】
連動モードは、モニタ装置１００と、接続された情報処理装置とが連動する動作モードである。モニタ装置１００は、モニタ装置１００と連動することが可能な情報処理装置と接続された場合にのみ、連動モードで動作することが可能である。また、モニタ装置１００と連動することが可能な情報処理装置との間では、映像信号ケーブル３２だけでなく、制御信号ケーブル３１も接続可能である。
【００２５】
図２に示す情報処理装置２００は、モニタ装置１００と連動することが可能な装置であり、映像信号ケーブル３２および制御信号ケーブル３１を介してモニタ装置１００と接続されている。情報処理装置２００は、情報処理装置２００自身の電源状態を切り替えるためにユーザが操作する電源ボタン２０１を備える。
【００２６】
モニタ装置１００が連動モードで動作するとき、モニタ装置１００の電源ボタン１０３を用いて、接続された情報処理装置２００の電源状態が制御される。電源状態とは、例えば、装置が通常運用されている状態（通常運用状態）や装置が電源を消費しない状態（シャットダウン状態）等、装置内での電源供給の状態を示す。連動モードにおいては、モニタ装置１００の電源ボタン１０３が操作されたとき、接続された情報処理装置２００の電源状態は、情報処理装置２００の電源ボタン２０１が操作されたときと同様に制御される。
【００２７】
さらに、モニタ装置１００が連動モードで動作するとき、モニタ装置１００の電源状態は、映像信号ケーブル３２を通じた受信信号に基づき、接続された情報処理装置２００の電源状態に応じて変化する。すなわち、連動モードにおいては、モニタ装置１００の電源ボタン１０３が押下されたとき、接続された情報処理装置２００の電源状態が変化するとともに、その変化に応じてモニタ装置１００の電源状態も変化する。
【００２８】
一方、モニタ装置１００が非連動モードで動作するとき、モニタ装置１００は、接続された情報処理装置とは独立して動作する。非連動モードでは、モニタ装置１００の電源ボタン１０３が押下されたとき、モニタ装置１００の電源状態が、接続された情報処理装置の電源状態とは関係なく変化する。換言すると、非連動モードでは、モニタ装置１００の電源ボタン１０３は、モニタ装置１００の制御のためにのみ使用される。
【００２９】
モニタ装置１００の発光ランプ１０２は、モニタ装置１００の電源状態および動作モードが識別可能なように点灯する。本実施の形態では、例として、それぞれ緑色、橙色、青色、赤色に点灯する４つの発光ランプ１０２が設けられており、これらの発光ランプ１０２の点灯／消灯の組み合わせによって、モニタ装置１００の電源状態および動作モードが識別される。
【００３０】
制御信号ケーブル３１は、モニタ装置１００から出力される電源制御信号を伝送するための制御信号線を含む。電源制御信号は、モニタ装置１００の電源ボタン１０３が操作されたときに、接続された情報処理装置２００の電源状態の変更を要求するための信号である。また、この制御信号線は、情報処理装置２００から出力される連動信号の伝送にも兼用される。連動信号は、情報処理装置２００が、接続されたモニタ装置１００と連動する状態であることを通知する信号である。
【００３１】
本実施の形態では、例として、上記の制御信号線としてＰＳ／２ケーブルにおける未使用の信号線が用いられる。未使用の信号線としては、ＰＳ／２コネクタにおける６番ピンを結線する信号線を用いることができる。この場合、制御信号ケーブル３１として、ＰＳ／２ケーブルから６番ピン用の信号線およびグランド線を分岐したケーブルを使用することができる。例えば、情報処理装置２００のＰＳ／２コネクタに接続したＰＳ／２ケーブルの他端を分岐し、分岐した一方をキーボード等の入力デバイスに接続し、他方をモニタ装置１００に接続することができる。
【００３２】
なお、図２に示す情報処理装置２００は、例として、情報処理装置２００が電力の供給を受けるための電源コンセント２０２だけでなく、接続されたモニタ装置１００に電力を供給するための給電部２０３も有している。モニタ装置１００は、情報処理装置２００の給電部２０３から電力の供給を受けて動作することが可能である。ただし、これに限らず、モニタ装置１００は、外部の電源コンセント等、情報処理装置２００以外の給電部から電力の供給を受けて動作することも可能である。また、モニタ装置１００と連動可能な情報処理装置２００も、モニタ装置１００に電力を供給するための給電部２０３を必ずしも有している必要はない。
【００３３】
図３は、モニタ装置のハードウェア構成例を示す図である。モニタ装置１００は、電源部１１０およびスケーラ部１２０を有する。スケーラ部１２０は、プロセッサ１２１、ＲＡＭ（Random Access Memory）１２２、ＲＯＭ（Read Only Memory）１２３、タイマ１２４、入力ポート１２５ａ，１２５ｂ，１２５ｃ、出力ポート１２６ａ，１２６ｂおよび表示制御部１２７を有する。
【００３４】
電源部１１０は、モニタ装置１００の内部に電力を供給する。電源部１１０は、電源回路１１１および電源制御部１１２を有する。
電源回路１１１は、スケーラ部１２０、電源制御部１１２等に接続している。電源回路１１１は、電源コンセント１０４から供給される交流電力を直流電力に変換して、接続している各装置に供給する。電源コンセント１０４から電源回路１１１へ電力が供給されている状態では、スケーラ部１２０にも電源電圧が供給されて、スケーラ部１２０は動作状態となる。
【００３５】
電源制御部１１２は、ディスプレイ１０１への電力の供給を制御する。電源制御部１１２は、スケーラ部１２０の出力ポート１２６ａから出力される制御信号４７に基づいて、ディスプレイ１０１に電力を供給するか判定する。
【００３６】
スケーラ部１２０において、プロセッサ１２１は、モニタ装置１００全体を統括的に制御する制御回路である。プロセッサ１２１は、図示しないバスを介して、スケーラ部１２０内のＲＡＭ１２２、ＲＯＭ１２３、タイマ１２４、入力ポート１２５ａ，１２５ｂ，１２５ｃ、出力ポート１２６ａ，１２６ｂおよび表示制御部１２７と接続されている。
【００３７】
プロセッサ１２１は、プログラムの命令を実行する演算器を含み、ＲＯＭ１２３に記憶されているプログラムやデータの少なくとも一部をＲＡＭ１２２にロードしてプログラムを実行する。
【００３８】
なお、プロセッサ１２１には、ＣＰＵ（Central Processing Unit）やＤＳＰ（Digital Signal Processor）等を用いてもよい。また、プロセッサ１２１は複数のプロセッサコアを備えてもよい。また、モニタ装置１００は、複数のプロセッサを備えてもよい。また、モニタ装置１００は、複数のプロセッサまたは複数のプロセッサコアを用いて並列処理を行ってもよい。また、２以上のプロセッサの集合、ＦＰＧＡ（Field Programmable Gate Array）やＡＳＩＣ（Application Specific Integrated Circuit）等の専用回路、２以上の専用回路の集合、プロセッサと専用回路の組み合わせ等を「プロセッサ」と呼んでもよい。
【００３９】
ＲＡＭ１２２は、プロセッサ１２１が実行するプログラムやプログラムの実行に必要なデータを一時的に記憶する揮発性メモリである。なお、スケーラ部１２０は、ＲＡＭ１２２以外の種類のメモリを備えてもよく、複数個の揮発性メモリを備えてもよい。
【００４０】
ＲＯＭ１２３は、ＯＳ（Operating System）プログラム、ファームウェア、アプリケーションソフトウェア等のプログラムおよびデータを記憶する不揮発性の記憶装置である。なお、スケーラ部１２０は、フラッシュメモリ等の他の種類の記憶装置を備えてもよく、複数個の不揮発性の記憶装置を備えてもよい。また、ＲＯＭ１２３の記憶領域には、例えば、フラッシュＲＯＭ等による書き替え可能な不揮発性の記憶領域が含まれるものとする。
【００４１】
タイマ１２４は、一定周期でタイマ割込を発生させるタイマ装置である。
入力ポート１２５ａは、連動信号の有無をプロセッサ１２１に通知する。入力ポート１２５ａは、遅延回路１２８と接続している。入力ポート１２５ａは、遅延回路１２８から出力されるＰＳＳＷ信号４４がＨＩＧＨレベルの状態を、連動信号の入力として検知する。
【００４２】
入力ポート１２５ｂは、ＸＰＯＷ信号４５の入力を受けて、電源ボタン１０３の押下の有無をプロセッサ１２１へ通知する。ＸＰＯＷ信号４５の電圧がＨＩＧＨレベルからＬＯＷレベルに切り替わったとき、電源ボタン１０３が押下されたと判定される。
【００４３】
入力ポート１２５ｃは、映像信号ケーブル３２の信号線のうち、ＤＤＣ電圧線３２ｂと接続される。ＤＤＣ電圧線３２ｂは、ＤＤＣ規格においてＤＤＣ信号を伝送するために必要とされる５Ｖの駆動電圧（ＤＤＣ電圧）が印加される信号線である。入力ポート１２５ｃは、ＤＤＣ電圧の入力の有無をプロセッサ１２１へ通知する。なお、ＤＤＣ信号とは、モニタ装置１００の型番、ベンダ名、解像度等、モニタ装置１００の固有の情報を情報処理装置に通知するための信号である。
【００４４】
出力ポート１２６ａは、プロセッサ１２１からの命令により、ディスプレイ１０１に電源を供給するか否かを示す制御信号４７を電源制御部１１２へ出力する。
出力ポート１２６ｂは、プロセッサ１２１からの命令により、４つの発光ランプ（ＬＥＤ）１０２それぞれを点灯させるための制御信号（駆動電圧）を出力する。各発光ランプ１０２の色は、緑色、橙色、青色および赤色とする。
【００４５】
表示制御部１２７は、映像信号ケーブル３２の信号線のうち、ビデオ信号線３２ａと接続される。ビデオ信号線３２ａは、ＲＧＢ（Red Green Blue）信号等のビデオ信号が伝送される信号線である。表示制御部１２７は、ビデオ信号線３２ａから入力されたビデオ信号に基づく画像信号をディスプレイ１０１へ出力する。また、表示制御部１２７は、ビデオ信号の入力の有無をプロセッサ１２１に通知する。
【００４６】
また、モニタ装置１００は、ベース接地回路１３０、電源スイッチ１０３ａ、コネクタ１３６および前述の遅延回路１２８を有する。
ベース接地回路１３０は、トランジスタ１３１および抵抗１３２〜１３４を有する。トランジスタ１３１は、ＮＰＮ型のバイポーラトランジスタである。トランジスタ１３１のベースには、抵抗１３２を介して電源回路１１１からの電源電圧が供給され、トランジスタ１３１のコレクタには、抵抗１３３を介して電源回路１１１からの電源電圧が供給される。また、トランジスタ１３１のコレクタは入力ポート１２５ｃに接続され、コレクタから入力ポート１２５ｂへの出力信号がＸＰＯＷ信号４５となる。また、トランジスタ１３１のエミッタは、抵抗１３４を介してグランド（ＧＮＤ）に接続される。
【００４７】
電源スイッチ１０３ａは、電源ボタン１０３と連動するパッシブなスイッチ回路である。電源スイッチ１０３ａの一方の端子は、トランジスタ１３１のエミッタに接続されており、他方の端子はグランドに接続されている。
【００４８】
電源ボタン１０３が押下されていないとき、電源スイッチ１０３ａは開放状態となる。このとき、トランジスタ１３１のコレクタの電圧は電源回路１１１からの電源電圧によってプルアップされ、入力ポート１２５ｂに入力されるＸＰＯＷ信号４５はＨＩＧＨレベルとなる。一方、電源ボタン１０３が押下されると、電源スイッチ１０３ａはトランジスタ１３１のエミッタをグランドに導通させる。このとき、トランジスタ１３１のコレクタの電圧が低下し、入力ポート１２５ｂに入力されるＸＰＯＷ信号４５はＬＯＷレベルとなる。すなわち、電源ボタン１０３が押下されると、ＸＰＯＷ信号４５はＨＩＧＨレベルからＬＯＷレベルに変化し、これにより電源ボタン１０３が押下されたことがプロセッサ１２１に通知される。
【００４９】
コネクタ１３６には、制御信号ケーブル３１の制御信号線３１ａおよびグランド線（図示せず）が接続される。制御信号線３１ａは、ＰＳ／２コネクタ規格における６番ピンに接続される信号線である。コネクタ１３６に制御信号ケーブル３１が接続されると、制御信号線３１ａは、遅延回路１２８およびダイオード１３５のアノードに接続される。なお、ダイオード１３５のカソードは、トランジスタ１３１のエミッタに接続されている。
【００５０】
ここで、遅延回路１２８およびダイオード１３５に接続するコネクタ１３６の端子を、「制御信号端子１３６ａ」とする。コネクタ１３６に制御信号ケーブル３１が接続されているとき、コネクタ１３６は制御信号端子１３６ａを制御信号線３１ａに接続する。一方、コネクタ１３６に制御信号ケーブル３１が接続されていないとき、コネクタ１３６は制御信号端子１３６ａをグランドに接続する。
【００５１】
前述のように、制御信号線３１ａには、モニタ装置１００から情報処理装置２００への電源制御信号と、情報処理装置２００からモニタ装置１００への連動信号とが伝送される。連動信号は、接続された情報処理装置２００が制御信号線３１ａの電圧をＨＩＧＨレベルにする信号として伝達される。この連動信号は、ＰＣＳＵＳ信号として遅延回路１２８に入力される。また、電源制御信号は、モニタ装置１００が制御信号線３１ａの電圧をＨＩＧＨレベルから一時的にＬＯＷレベルに変化させる信号として伝達される。
【００５２】
コネクタ１３６に制御信号ケーブル３１が接続され、接続先の情報処理装置２００によって制御信号線３１ａの電圧がＨＩＧＨレベルとされている状態では、電源ボタン１０３が押下されて電源スイッチ１０３ａが導通すると、制御信号端子１３６ａおよび制御信号線３１ａの電圧がＬＯＷレベルに変化する。この後、電源ボタン１０３の押下が終了して電源スイッチ１０３ａが開放状態になると、制御信号端子１３６ａおよび制御信号線３１ａの電圧がＨＩＧＨレベルに変化する。このような制御信号線３１ａの電圧変化により、モニタ装置１００から接続先の情報処理装置２００に対して、電源状態の変更指示が伝達される。
【００５３】
また、コネクタ１３６に制御信号ケーブル３１が接続されているが、接続先の情報処理装置２００によって制御信号線３１ａの電圧がＬＯＷレベルとされている状態では、電源ボタン１０３が押下されても、制御信号線３１ａの電圧はＬＯＷのままとなる。この状態では、モニタ装置１００から接続先の情報処理装置２００に対して、電源状態の変更指示が伝達されない。
【００５４】
このように、情報処理装置２００は、制御信号ケーブル３１を介してモニタ装置１００と接続された状態でも、制御信号線３１ａをＬＯＷレベルとすることで、モニタ装置１００から電源制御信号を受信せず、モニタ装置１００の電源ボタン１０３を用いて制御されない状態をつくり出すことができる。
【００５５】
なお、コネクタ１３６に制御信号ケーブル３１が接続されていない状態では、モニタ装置１００からの電源制御信号が接続先の情報処理装置に伝達されないことは言うまでもない。
【００５６】
制御信号端子１３６ａの電圧は、ＰＣＳＵＳ信号４３ａとして遅延回路１２８に入力される。遅延回路１２８は、電源回路１１１からの電源電圧によって動作し、入力されるＰＣＳＵＳ信号４３ａの立ち下がりタイミングを所定時間（例えば、１００ミリ秒）遅延させる。遅延回路１２８からの出力信号は、ＰＳＳＷ信号４４として入力ポート１２５ａに入力される。
【００５７】
ＰＳＳＷ信号４４は、制御信号線３１ａの電圧を検知するための信号である。制御信号線３１ａの電圧がＨＩＧＨレベルの状態において、電源ボタン１０３が押下されると、制御信号線３１ａの電圧はＬＯＷレベルに低下する。しかしながら、遅延回路１２８によって制御信号線３１ａの電圧、すなわちＰＣＳＵＳ信号４３ａの電圧の立ち下がりタイミングが遅延されることで、プロセッサ１２１は電源ボタン１０３が押下されたとき、ＰＳＳＷ信号４４に基づいて、電源ボタン１０３が押下される直前において制御信号線３１ａの電圧がＨＩＧＨレベルだったことを認識することができる。
【００５８】
なお、制御信号端子１３６ａの電圧がＬＯＷレベルになった場合でも、ダイオード１３５の作用によりトランジスタ１３１のエミッタ電圧はグランドレベルにはならない。従って、制御信号ケーブル３１がコネクタ１３６に接続されていない状態、および、制御信号ケーブル３１がコネクタ１３６に接続されているが、制御信号線３１ａの電圧がＬＯＷレベルである状態でも、プロセッサ１２１はＸＰＯＷ信号４５に基づいて電源ボタン１０３の押下を検知することができる。すなわち、これらの状態では、モニタ装置１００の電源ボタン１０３を、モニタ装置１００の電源状態を変更するためのボタンとして使用することができる。
【００５９】
図４は、情報処理装置のハードウェア構成例を示す図である。情報処理装置２００は、電源部２１０、プロセッサ２２１、ＲＡＭ２２２、ＲＯＭ２２３、タイマ２２４、入力ポート２２５、出力ポート２２６ａ，２２６ｂ，２２６ｃおよび表示制御部２２７を有する。プロセッサ２２１、ＲＡＭ２２２、ＲＯＭ２２３、タイマ２２４、入力ポート２２５、および出力ポート２２６ａ，２２６ｂ，２２６ｃは、図示しないバスにより互いに接続されている。
【００６０】
電源部２１０は、電源回路２１１および電源制御部２１２を有する。
電源回路２１１は、電源制御部２１２、プロセッサ２２１、ＲＡＭ２２２、ＲＯＭ２２３、タイマ２２４、入力ポート２２５、出力ポート２２６ａ，２２６ｂ，２２６ｃ、表示制御部２２７等に接続している。電源回路２１１は、電源コンセント２０２から供給される交流電力を直流電力に変換して、接続している各装置に供給する。
【００６１】
電源制御部２１２は、給電部２０３への電力の供給を制御する。電源制御部２１２は、出力ポート２２６ａから出力された制御信号に基づいて、給電部２０３に電力を供給するか判定する。
【００６２】
プロセッサ２２１は、情報処理装置２００全体を統括的に制御する制御回路である。プロセッサ２２１、ＲＡＭ２２２、ＲＯＭ２２３、タイマ２２４は、前述のプロセッサ１２１、ＲＡＭ１２２、ＲＯＭ１２３、タイマ１２４と同様の動作を行うので、ここでは説明を省略する。
【００６３】
入力ポート２２５には、電源ボタン２０１の押下を検知するための検知信号２２５ａが入力される。後述するように、検知信号２２５ａは、電源ボタン２０１の押下だけでなく、モニタ装置１００の電源ボタン１０３の押下を検知するためにも使用される。
【００６４】
出力ポート２２６ａは、給電部２０３に電力を供給するかを示す信号を電源制御部２１２に出力する。
出力ポート２２６ｂは、表示制御部２２７に接続されている。表示制御部２２７は、映像信号ケーブル３２を通じてモニタ装置１００に対してビデオ信号やＤＤＣ信号、ＤＤＣ電圧等を出力する。出力ポート２２６ｂは、例えば、プロセッサ２２１からの制御の下で、表示制御部２２７にビデオ信号やＤＤＣ信号を出力させるとともに、ビデオ信号やＤＤＣ電圧の出力の可否を制御する。
【００６５】
出力ポート２２６ｃは、プロセッサ２２１からの指示に応じて、モニタ装置１００と連動するか否かを示すＥＮ信号２３１ａを出力する。ＥＮ信号２３１ａは、制御信号線３１ａの電圧（後述するＰＣＳＵＳ信号４３ｂの電圧）を制御するための信号となる。
【００６６】
また、情報処理装置２００は、ベース接地回路２３０、電源スイッチ２０１ａおよびコネクタ２３４を有する。
ベース接地回路２３０は、トランジスタ２３１および抵抗２３２，２３３を有する。トランジスタ２３１は、ＮＰＮ型のバイポーラトランジスタである。トランジスタ２３１のベースには、抵抗２３２を介して電源回路２１１からの電源電圧が供給される。また、トランジスタ２３１のベースは、出力ポート２２６ｃにも接続されている。
【００６７】
トランジスタ２３１のコレクタには、抵抗２３３を介して電源回路２１１からの電源電圧が供給される。また、トランジスタ２３１のコレクタは入力ポート２２５に接続され、コレクタから入力ポート２２５への出力信号が検知信号２２５ａとなる。
【００６８】
電源スイッチ２０１ａの一方の端子は、トランジスタ２３１のコレクタに接続されており、他方の端子はグランドに接続されている。電源スイッチ２０１ａは電源ボタン２０１と連動するスイッチである。
【００６９】
コネクタ２３４には、制御信号ケーブル３１の制御信号線３１ａおよびグランド線（図示せず）が接続される。前述のように、制御信号線３１ａは、ＰＳ／２コネクタ規格における６番ピンに接続される信号線である。コネクタ２３４に制御信号ケーブル３１が接続されると、制御信号線３１ａは、トランジスタ２３１のエミッタに接続される。
【００７０】
ＰＣＳＵＳ信号４３ｂは、トランジスタ２３１のエミッタから制御信号線３１ａに出力される信号である。ＰＣＳＵＳ信号４３ｂは、前述の連動信号に対応する。なお、制御信号ケーブル３１を介してモニタ装置１００と接続されているとき、ＰＣＳＵＳ信号４３ｂの電圧はモニタ装置１００側のＰＣＳＵＳ信号４３ａと同じになる。
【００７１】
以下、ベース接地回路２３０およびその周辺の動作について説明する。
電源スイッチ２０１ａが開放状態であるとき、出力ポート２２６ｃからのＥＮ信号２３１ａの電圧に関係なく、トランジスタ２３１のコレクタ電圧は、電源回路２１１からの電源電圧によってプルアップされる。このとき、入力ポート２２５に入力される検知信号２２５ａはＨＩＧＨレベルとなる。この状態から、電源ボタン２０１が押下されて、電源スイッチ２０１ａが導通状態となると、トランジスタ２３１のコレクタ電圧が低下し、検知信号２２５ａがＬＯＷレベルに変化する。すなわち、電源ボタン２０１が押下されると、検知信号２２５ａはＨＩＧＨレベルからＬＯＷレベルに変化し、これにより電源ボタン２０１が押下されたことがプロセッサ２２１に通知される。
【００７２】
また、ＥＮ信号２３１ａがＨＩＧＨレベルのとき、ＰＣＳＵＳ信号４３ｂがＨＩＧＨレベルとなり、制御信号線３１ａの電圧もＨＩＧＨレベルとなる。この状態で、モニタ装置１００の電源ボタン１０３が押下されると、制御信号線３１ａおよびＰＣＳＵＳ信号４３ｂの電圧がＬＯＷレベルになる。このとき、検知信号２２５ａはＨＩＧＨレベルからＬＯＷレベルに変化する。このような電圧変化により、モニタ装置１００からの電源状態の変更指示が情報処理装置２００のプロセッサ２２１に伝達される。
【００７３】
一方、ＥＮ信号２３１ａがＬＯＷレベル（グランドレベル）のとき、ＰＣＳＵＳ信号４３ｂがＬＯＷレベルとなり、制御信号線３１ａの電圧もＬＯＷレベルとなる。この状態では、モニタ装置１００の電源ボタン１０３が押下されたとしても、制御信号線３１ａおよびＰＣＳＵＳ信号４３ｂの電圧はＬＯＷレベルのままであり、検知信号２２５ａはＨＩＧＨレベルのまま変化しない。すなわち、ＥＮ信号２３１ａがＬＯＷレベルのとき、モニタ装置１００からの電源状態の変更指示は情報処理装置２００のプロセッサ２２１に伝達されない。プロセッサ２２１は、ＥＮ信号２３１ａの電圧設定により、制御信号ケーブル３１を介してモニタ装置１００と接続された状態において、情報処理装置２００の電源状態をモニタ装置１００の電源ボタン１０３に連動させるか否かを制御することができる。
【００７４】
図５は、モニタ装置および情報処理装置の機能例を示すブロック図である。
モニタ装置１００は、モニタ状態記憶部１４０、連動信号検知部１５０およびモニタ状態制御部１６０を有する。モニタ状態記憶部１４０は、例えば、フラッシュＲＯＭ等による不揮発性記憶領域として実現される。連動信号検知部１５０およびモニタ状態制御部１６０の処理は、例えば、モニタ装置１００のプロセッサ１２１が所定のプログラムを実行することによって実現される。
【００７５】
モニタ状態記憶部１４０は、モニタ装置１００の状態を記憶する。モニタ装置１００の状態とは、例えば、モニタの電源に応じて点灯させる発光ランプ１０２や、モニタに供給される電力の状態等である。
【００７６】
連動信号検知部１５０は、ＰＳＳＷ信号４４に基づいて、制御信号ケーブル３１を経由して情報処理装置から入力される連動信号を検知し、その検知結果をモニタ状態制御部１６０に通知する。
【００７７】
モニタ状態制御部１６０は、映像信号ケーブル３２を経由して情報処理装置２００から入力されるビデオ信号およびＤＤＣ電圧と、電源ボタン１０３の押下に応じて入力されるＸＰＯＷ信号４５と、連動信号検知部１５０による連動信号の検知結果とに基づいて、モニタ装置１００の状態を遷移させる。
【００７８】
また、図５に示す情報処理装置２００は、前述のように、モニタ装置１００と連動することが可能な情報処理装置である。情報処理装置２００は、連動信号出力部２４０および電源状態制御部２５０を有する。連動信号出力部２４０および電源状態制御部２５０の処理は、例えば、情報処理装置２００のプロセッサ２２１が所定のプログラムを実行することによって実現される。
【００７９】
連動信号出力部２４０は、ＥＮ信号２３１ａをＨＩＧＨレベルにすることにより、制御信号ケーブル３１を経由して、連動信号をモニタ装置１００へ出力する。
電源状態制御部２５０は、情報処理装置２００の電源ボタン２０１の押下に応じて、あるいは、モニタ装置１００の電源ボタン１０３の押下に応じて出力される電源制御信号に応じて、情報処理装置２００の電源状態を変更する。電源状態の変更に応じて、映像信号ケーブル３２を介して伝送されるビデオ信号およびＤＤＣ電圧の出力の有無が制御される。なお、電源状態制御部２５０は、連動信号が出力されている場合にのみ、モニタ装置１００からの電源制御信号に応じた制御を行う。
【００８０】
次に、図６〜図９では、制御信号ケーブル３１の接続状態や、電源ボタン１０３への操作による、ＰＣＳＵＳ信号４３ａ、ＰＳＳＷ信号４４およびＸＰＯＷ信号４５の電圧の状態と、動作モードの遷移について説明する。
【００８１】
図６は、ケーブルの接続状態の切り替え時における信号の状態の例を示す第１の図である。図６では、モニタ装置１００の電源がオンの状態かつ、制御信号ケーブル３１を接続、非接続、接続の順に状態が遷移した場合における、ＰＣＳＵＳ信号４３ａ、ＰＳＳＷ信号４４およびＸＰＯＷ信号４５の電圧の状態を示す。
【００８２】
制御信号ケーブル３１が接続され、情報処理装置２００の連動信号出力部２４０により制御信号線３１ａの電圧がＨＩＧＨレベルとされているとき、ＰＣＳＵＳ信号４３ａ、ＰＳＳＷ信号４４およびＸＰＯＷ信号４５の電圧は、いずれも、ＨＩＧＨレベルである。ＰＳＳＷ信号４４がＨＩＧＨレベルの状態では、モニタ状態制御部１６０は、モニタ装置１００の動作モードを連動モードに設定する。
【００８３】
その状態で制御信号ケーブル３１が接続されなくなったとき（例えば、制御信号ケーブル３１がモニタ装置１００から抜かれたとき）、ＰＣＳＵＳ信号４３ａの電圧は、ＨＩＧＨレベルからＬＯＷレベルに遷移する。また、ＰＳＳＷ信号４４の電圧は、ＨＩＧＨレベルからＬＯＷレベルに遷移する。このとき、ＰＳＳＷ信号４４の電圧の遷移は、ＰＣＳＵＳ信号４３が遅延回路１２８を経由することで、ＰＣＳＵＳ信号４３ａの電圧がＬＯＷレベルに遷移した時点から所定時間（例えば、１００ミリ秒）遅延する。ＰＳＳＷ信号４４がＬＯＷレベルとなることで、モニタ状態制御部１６０は、モニタ装置１００の動作モードを非連動モードに変更する。また、ＸＰＯＷ信号４５の電圧は、制御信号ケーブル３１の接続状態により影響を受けないため、ＨＩＧＨレベルのままとなる。
【００８４】
その状態で制御信号ケーブル３１が接続されたとき、ＰＣＳＵＳ信号４３ａの電圧は、ＬＯＷレベルからＨＩＧＨレベルに遷移する。また、ＰＳＳＷ信号４４の電圧は、ＬＯＷレベルからＨＩＧＨレベルに遷移する。これにより、モニタ状態制御部１６０は、モニタ装置１００の動作モードを連動モードに変更する。ＸＰＯＷ信号４５の電圧は、同様に、ＨＩＧＨレベルのままとなる。
【００８５】
図７は、ケーブルの接続状態の切り替え時における信号の状態の例を示す第２の図である。図７では、モニタ装置１００の電源がオンの状態かつ、制御信号ケーブル３１を非接続、接続、非接続の順に状態が遷移した場合における、ＰＣＳＵＳ信号４３ａ、ＰＳＳＷ信号４４およびＸＰＯＷ信号４５の電圧の状態を示す。
【００８６】
制御信号ケーブル３１が接続されていないとき、ＰＣＳＵＳ信号４３ａおよびＰＳＳＷ信号４４の電圧は、いずれも、ＬＯＷレベルである。この状態では、モニタ状態制御部１６０は、モニタ装置１００の動作モードを非連動モードに設定する。また、ＸＰＯＷ信号４５の電圧は、ＨＩＧＨレベルである。
【００８７】
その状態で制御信号ケーブル３１が接続されたとき、ＰＣＳＵＳ信号４３ａの電圧は、ＬＯＷレベルからＨＩＧＨレベルに遷移する。ただし、制御信号線３１ａの電圧がＨＩＧＨレベルであったものとする。また、ＰＳＳＷ信号４４の電圧は、ＬＯＷレベルからＨＩＧＨレベルに遷移する。これにより、モニタ状態制御部１６０は、モニタ装置１００の動作モードを連動モードに変更する。ＸＰＯＷ信号４５の電圧は、図６の説明と同様に、ＨＩＧＨレベルのままとなる。
【００８８】
その状態で制御信号ケーブル３１が接続されなくなったとき、ＰＣＳＵＳ信号４３ａの電圧は、ＨＩＧＨレベルからＬＯＷレベルに遷移する。また、ＰＳＳＷ信号４４の電圧は、ＨＩＧＨレベルからＬＯＷレベルに遷移する。このとき、ＰＳＳＷ信号４４の電圧の遷移は、図６で説明したように、ＰＣＳＵＳ信号４３ａの電圧がＬＯＷレベルに遷移した時点から所定時間（例えば、１００ミリ秒）遅延する。ＰＳＳＷ信号４４がＬＯＷレベルとなることで、モニタ状態制御部１６０は、モニタ装置１００の動作モードを非連動モードに変更する。ＸＰＯＷ信号４５の電圧は、同様に、ＨＩＧＨレベルのままとなる。
【００８９】
図６〜７で説明したように、ＰＣＳＵＳ信号４３ａの電圧は、制御信号線３１ａの電圧がＨＩＧＨレベルである場合、制御信号ケーブル３１の接続の有無に応じて変化する。また、ＰＳＳＷ信号４４の電圧は、ＰＣＳＵＳ信号４３の電圧がＨＩＧＨレベルからＬＯＷレベルへ遷移してから所定時間経過するまでの間を除いて、ＰＣＳＵＳ信号４３ａの電圧と一致する。そのため、連動信号検知部１５０は、ＰＳＳＷ信号４４の電圧を判定することで、連動信号の入力の有無を検知でき、モニタ状態制御部１６０は、連動信号の有無の検知結果を基に動作モードを制御できる。
【００９０】
なお、例えば、制御信号ケーブル３１が接続された状態のままで、情報処理装置２００の連動信号出力部２４０によって制御信号線３１ａの電圧がＨＩＧＨレベルからＬＯＷレベルに変更され、さらにＨＩＧＨレベルに変更された場合は、図６と同様の遷移となる。また、例えば、制御信号ケーブル３１が接続された状態のままで、情報処理装置２００の連動信号出力部２４０によって制御信号線３１ａの電圧がＬＯＷレベルからＨＩＧＨレベルに変更され、さらにＬＯＷレベルに変更された場合は、図７と同様の遷移となる。
【００９１】
図６および図７から各信号と動作モードとの基本的な関係を示すと、次のようになる。制御信号ケーブル３１が接続され、かつ、制御信号線３１ａの電圧がＨＩＧＨレベルであるとき、モニタ装置１００は連動モードになる。一方、制御信号ケーブル３１が接続されていないとき、および、制御信号ケーブル３１が接続されているが、制御信号線３１ａの電圧がＬＯＷレベルであるとき、モニタ装置１００は非連動モードになる。ただし、モニタ装置１００が連動モードから非連動モードに遷移するタイミングは、制御信号ケーブル３１が引き抜かれたり、制御信号線３１ａの電圧がＨＩＧＨレベルからＬＯＷレベルに変化したタイミングから、所定時間だけ遅延する。
【００９２】
図８は、電源制御ケーブルの接続時における電源ボタン操作時の信号の状態の例を示す図である。図８では、モニタ装置１００に制御信号ケーブル３１が接続されている状態で、電源ボタン１０３を操作した場合における、ＰＣＳＵＳ信号４３ａ、ＰＳＳＷ信号４４およびＸＰＯＷ信号４５の電圧の状態を示す。
【００９３】
電源ボタン１０３が押下される前、ＰＣＳＵＳ信号４３ａ、ＰＳＳＷ信号４４およびＸＰＯＷ信号４５の電圧は、いずれも、ＨＩＧＨレベルである。このとき、モニタ状態制御部１６０は、モニタ装置１００の動作モードを連動モードに設定する。
【００９４】
この状態で電源ボタン１０３が押下されると、ＰＣＳＵＳ信号４３ａおよびＸＰＯＷ信号４５の電圧は、ＨＩＧＨレベルからＬＯＷレベルに遷移する。ＰＳＳＷ信号４４の電圧は、ＨＩＧＨレベルからＬＯＷレベルに遷移する。このとき、ＰＳＳＷ信号４４の電圧の遷移は、図６で説明したように、ＰＣＳＵＳ信号４３ａの電圧がＬＯＷレベルに遷移した時点から所定時間（例えば、１００ミリ秒）遅延する。
【００９５】
その状態から電源ボタン１０３を離すと、ＰＣＳＵＳ信号４３ａ、ＰＳＳＷ信号４４およびＸＰＯＷ信号４５の電圧は、いずれも、ＬＯＷレベルからＨＩＧＨレベルに遷移する。
【００９６】
このように、ＰＣＳＵＳ信号４３ａの電圧がＨＩＧＨレベル、ＬＯＷレベル、ＨＩＧＨレベルの順に遷移されることで、電源制御信号が情報処理装置２００へ出力される。
また、図８に示すように、電源ボタン１０３が押下されているとき、ＰＣＳＵＳ信号４３ａがＬＯＷレベルとなってしまう。このため、モニタ状態制御部１６０は、ＰＣＳＵＳ信号４３ａを参照した場合には、電源ボタン１０３が押下される直前において連動信号が入力されていたのかを判定できない。
【００９７】
これに対して、遅延回路１２８は、ＰＣＳＵＳ信号４３ａの立ち下がりタイミングを所定時間（例えば、１００ミリ秒）遅延させたＰＳＳＷ信号４４を出力する。モニタ状態制御部１６０は、ＸＰＯＷ信号４５の電圧がＬＯＷレベルに遷移したことを検知した後、その検知時点から所定時間（例えば、１００ミリ秒）経過する前までの期間においてＰＳＳＷ信号４４の電圧がＨＩＧＨレベルであれば、電源ボタン１０３が押下された直前では、情報処理装置２００から連動信号が入力されていたと判定する。これにより、電源制御信号と連動信号とが同一の制御信号線３１ａによって伝送される構成でありながら、電源ボタン１０３が押下された直前の状態を正確に判定することができる。
【００９８】
図９は、電源制御ケーブルの非接続時における電源ボタン操作時の信号の状態の例を示す図である。図９では、モニタ装置１００に制御信号ケーブル３１が接続されていない非連動モードの状態で、電源ボタン１０３を操作した場合における、ＰＣＳＵＳ信号４３ａ、ＰＳＳＷ信号４４およびＸＰＯＷ信号４５の電圧の状態を示す。この場合、ＰＣＳＵＳ信号４３ａおよびＰＳＳＷ４４の電圧は、制御信号ケーブル３１が接続されていないため、電源ボタン１０３の操作にかかわらず、ＬＯＷレベルとなる。ＸＰＯＷ信号４５の電圧は、以下のように遷移する。
【００９９】
電源ボタン１０３が押下される前、ＸＰＯＷ信号４５の電圧はＨＩＧＨレベルである。この状態で電源ボタン１０３が押下されると、ＸＰＯＷ信号４５の電圧は、ＨＩＧＨレベルからＬＯＷレベルに遷移する。その状態から電源ボタン１０３を離すと、ＸＰＯＷ信号４５の電圧は、ＬＯＷレベルからＨＩＧＨレベルに遷移する。
【０１００】
なお、モニタ装置１００に制御信号ケーブル３１が接続されているが、制御信号線３１ａの電圧がＬＯＷレベルである場合も、図９と同様の遷移となる。
このように、モニタ装置１００が非連動モードである場合には、電源ボタン１０３の押下に応じた電源制御信号は情報処理装置２００に伝送されないが、電源ボタン１０３が押下されたことはＸＰＯＷ信号４５によってモニタ状態制御部１６０に通知される。これにより、モニタ状態制御部１６０は、電源ボタン１０３の押下に応じてモニタ装置１００の電源状態を制御することが可能になる。
【０１０１】
次に、図１０，図１１では、情報処理装置２００の各電源状態における、各装置の動作の例について説明する。
図１０は、電源状態別の情報処理装置の動作の例を示す図である。情報処理装置動作一覧表６１は、情報処理装置２００の電源状態毎に、情報処理装置２００から出力される信号や電圧がどのように変化するかを示すものである。
【０１０２】
情報処理装置動作一覧表６１は、電源状態、電力供給、ビデオ信号およびＤＤＣ電圧の項目を有する。
電源状態の項目は、情報処理装置２００の電源状態を示す。本実施の形態において、情報処理装置２００の電源状態は、ＡＣＰＩ（Advanced Configuration and Power Interface）に規定されているシステムスリープ状態を用いる。ＡＣＰＩは、ＯＳがＢＩＯＳ（Basic Input/Output System）と連動してコンピュータを構成する各デバイスの消費電力を管理するための規格である。システムスリープ状態には、６つの電源状態として“Ｓ０”〜“Ｓ５”が規定されており、“Ｓ０”はフル稼働状態、“Ｓ１”はスタンバイ状態（ただし、プロセッサ２２１等の電源オン）、“Ｓ２”はスタンバイ状態（ただし、プロセッサ２２１等の電源オフ）、“Ｓ３”はスリープ状態、“Ｓ４”は休止状態、“Ｓ５”はソフトウェアによるシャットダウン状態を示す。
【０１０３】
供給電力の項目は、給電部２０３を通じて、情報処理装置２００がモニタ装置１００へ電力を供給するか否かを示す。“有”は、情報処理装置２００がモニタ装置１００へ電力を供給することを示す。“無”は、情報処理装置２００がモニタ装置１００へ電力を供給しないことを示す。
【０１０４】
ビデオ信号の項目は、ビデオ信号線３２ａを通じて、情報処理装置２００がモニタ装置１００へビデオ信号を出力するか否かを示す。“有”は、情報処理装置２００がモニタ装置１００へビデオ信号を出力することを示す。“無”は、情報処理装置２００がモニタ装置１００へビデオ信号を出力しないことを示す。
【０１０５】
ＤＤＣ電圧の項目は、ＤＤＣ電圧線３２ｂを通じて、情報処理装置２００がモニタ装置１００へＤＤＣ電圧を出力するか否かを示す。“有”は、情報処理装置２００がモニタ装置１００へＤＤＣ電圧を出力する（すなわち、ＤＤＣ電圧線３２ｂの電圧を５Ｖにする）ことを示す。“無”は、情報処理装置２００がモニタ装置１００へＤＤＣ電圧を出力しない（すなわち、ＤＤＣ電圧線３２ｂの電圧をグランドレベルにする）ことを示す。
【０１０６】
図１０に示すように、電源状態“Ｓ０”と、電源状態“Ｓ１”，“Ｓ２”と、電源状態“Ｓ３”〜“Ｓ５”とでは、ビデオ信号の出力の有無とＤＤＣ電圧の出力の有無との組み合わせが異なる。そこで、モニタ状態制御部１６０は、ビデオ信号の出力の有無とＤＤＣ電圧の出力の有無との組み合わせに基づいて、情報処理装置２００の電源状態を３段階で判定し、その判定結果に応じてモニタ装置１００の電源状態も３段階に制御する。
【０１０７】
図１１は、情報処理装置の電源状態別のモニタ装置の動作の例を示す図である。モニタ装置動作一覧表６２は、モニタ装置１００内部の各部における動作を、情報処理装置２００の電源状態別に示したものである。図１１では、モニタ装置１００が連動モードであるものとする。
【０１０８】
モニタ装置動作一覧表６２は、電源状態、ビデオ信号、ＤＤＣ電圧、ディスプレイ、ランプおよびモニタ電源の項目を有する。
電源状態、ビデオ信号、ＤＤＣ電圧の項目については、図１０と同様であるため、説明を省略する。
【０１０９】
ディスプレイの項目は、ディスプレイ１０１の状態を示す。“表示”は、モニタ状態制御部１６０がディスプレイ１０１に画像信号を表示させることを示す。“非表示”は、モニタ状態制御部１６０がディスプレイ１０１に画像信号を表示させないことを示す。
【０１１０】
ランプの項目は、点灯される発光ランプ１０２の色を示す。また、“消灯”は、いずれの発光ランプ１０２も点灯させない場合を示す。図７では、例えば、情報処理装置２００の電源状態が“Ｓ０”の場合、青色の発光ランプ１０２が点灯され、情報処理装置２００の電源状態が“Ｓ１”または“Ｓ２”の場合、赤色の発光ランプ１０２が点灯されることを示す。情報処理装置２００の電源状態が“Ｓ３”〜“Ｓ５”の場合、いずれの発光ランプ１０２も点灯されないことを示す。
【０１１１】
モニタ電源の項目は、モニタ装置１００の電源状態を示す。“オン”は、モニタ装置１００全体の電源がオンであることを示す。この状態では、ディスプレイ１０１の電源もオンである。“オン（節電）”は、ディスプレイ１０１の電源のみがオフである状態を示す。なお、ディスプレイ１０１だけでなく、例えば表示制御部１２７の電源もオフとされてもよい。“オフ”は、モニタ装置１００の電源がオフである状態を示す。この状態では、スケーラ部１２０、遅延回路１２８およびベース接地回路１３０にのみ電源が供給される。
【０１１２】
このように、モニタ状態制御部１６０は、ビデオ信号の出力の有無とＤＤＣ電圧の出力の有無との組み合わせを基に、モニタ装置１００の電源状態を“オン”、“オン（節電）”、“オフ”の３段階に制御する。例えば、ビデオ信号の入力の有無に応じてモニタ装置１００の電源状態を２段階に制御する場合と比較して、モニタ装置１００の電源状態を情報処理装置２００の電源状態に合わせてきめ細かく制御することができる。
【０１１３】
また、発光ランプ１０２の色や消灯状態により、モニタ装置１００が上記３段階のどの電源状態であるかをユーザに通知することができる。
なお、図１１には記載されていないが、モニタ装置１００が非連動モードである状態では、情報処理装置２００の電源状態が“Ｓ０”の場合、ランプの項目は“緑”となり、情報処理装置２００の電源状態が“Ｓ１”または“Ｓ２”の場合、ランプの項目は“橙”となる。また、情報処理装置２００の電源状態が“Ｓ３”〜“Ｓ５”の場合、ランプの項目は“消灯”となる。このように、モニタ装置１００が連動モードであるか非連動モードであるかによって、発光ランプ１０２の発光状態を変えることもできる。
【０１１４】
次に、図１２〜図１４では、モニタ装置１００の電源状態や、情報処理装置２００の電源状態を制御する処理の詳細について説明する。
図１２は、連動モードにおけるモニタ状態を設定する処理の例を示すフローチャートである。図１２に示す処理において、モニタ装置１００は、情報処理装置２００の給電部２０３以外の給電部から電源の供給を受けているものとする。以下、図１２に示す処理をステップ番号に沿って説明する。
【０１１５】
（ステップＳ１１）モニタ状態制御部１６０は、連動信号検知部１５０からの通知に基づき、ＰＳＳＷ信号４４の電圧がＨＩＧＨレベルか判定する。ＰＳＳＷ信号４４の電圧がＨＩＧＨレベルである場合、処理をステップＳ１３へ進める。ＰＳＳＷ信号４４の電圧がＬＯＷレベルである場合、処理をステップＳ１２へ進める。
【０１１６】
（ステップＳ１２）モニタ状態制御部１６０は、モニタ装置１００を非連動モードで動作させる。この場合、電源ボタン１０３への操作に応じて、モニタ装置１００の電源状態が変更される。詳細については、図１３で説明する。
【０１１７】
（ステップＳ１３）ステップＳ１１で「ＹＥＳ」と判定された場合、モニタ状態制御部１６０は、モニタ装置１００を連動モードで動作させる。モニタ状態制御部１６０は、情報処理装置２００からビデオ信号がビデオ信号線３２ａを経由して入力されているか判定する。ビデオ信号が入力されている場合、処理をステップＳ１４へ進める。ビデオ信号が入力されていない場合、処理をステップＳ１７へ進める。
【０１１８】
（ステップＳ１４）ステップＳ１３で「ＹＥＳ」と判定された場合、モニタ状態制御部１６０は、モニタ装置１００の電源状態をオンの状態にする。まず、モニタ状態制御部１６０は、ディスプレイ１０１に画像を表示させる。
【０１１９】
（ステップＳ１５）モニタ状態制御部１６０は、青色の発光ランプ１０２を点灯させる。
（ステップＳ１６）モニタ状態制御部１６０は、モニタ装置１００の電源状態がオンであることを示す情報をモニタ状態記憶部１４０に記憶させる。
【０１２０】
なお、ステップＳ１４〜Ｓ１６の処理順は変更可能である。
（ステップＳ１７）モニタ状態制御部１６０は、情報処理装置２００からＤＤＣ電圧がＤＤＣ電圧線３２ｂを経由して入力されているか判定する。ＤＤＣ電圧が入力されている場合、処理をステップＳ１８へ進める。ＤＤＣ電圧が入力されていない場合、処理をステップＳ２１へ進める。
【０１２１】
（ステップＳ１８）ステップＳ１７で「ＹＥＳ」と判定された場合、モニタ状態制御部１６０は、モニタ装置１００の電源状態をオン（節電）の状態にする。まず、モニタ状態制御部１６０は、電源制御部１１２にディスプレイ１０１への電源供給を停止させ、ディスプレイ１０１において画像を非表示にさせる。
【０１２２】
（ステップＳ１９）モニタ状態制御部１６０は、赤色の発光ランプ１０２を点灯させる。
（ステップＳ２０）モニタ状態制御部１６０は、モニタ装置１００の電源状態がオン（節電）であることを示す情報をモニタ状態記憶部１４０に記憶させる。
【０１２３】
なお、ステップＳ１８〜Ｓ２０の処理順は変更可能である。
（ステップＳ２１）ステップＳ１７で「ＮＯ」と判定された場合、モニタ状態制御部１６０は、モニタ装置１００の電源状態をオフの状態にする。まず、モニタ状態制御部１６０は、ディスプレイ１０１において画像を非表示にさせる。
【０１２４】
（ステップＳ２２）モニタ状態制御部１６０は、全ての発光ランプ１０２を消灯させる。
（ステップＳ２３）モニタ状態制御部１６０は、モニタ装置１００の電源状態がオフであることを示す情報をモニタ状態記憶部１４０に記憶させる。
【０１２５】
以上のステップＳ２１〜Ｓ２３の状態では、モニタ状態制御部１６０は、スケーラ部１２０、遅延回路１２８およびベース接地回路１３０以外のデバイスに電源を供給しないよう電源部１１０を制御する。
【０１２６】
なお、ステップＳ２１〜Ｓ２３の処理順は変更可能である。
以上の図１２の処理により、図１１に示したような動作遷移が実現される。
図１３は、非連動モードにおけるモニタ状態を設定する処理の例を示すフローチャートである。図１３に示す処理において、モニタ装置１００は、情報処理装置２００の給電部２０３以外の給電部から電源の供給を受けているものとする。以下、図１３に示す処理をステップ番号に沿って説明する。
【０１２７】
（ステップＳ３１）モニタ状態制御部１６０は、モニタ装置１００の電源状態がオフか判定する。モニタ装置１００の電源状態は、モニタ状態記憶部１４０に記憶されている、モニタ装置１００の電源状態を示す情報を参照することで判定される。モニタ装置１００の電源状態がオフである場合、処理をステップＳ３２へ進める。モニタ装置１００の電源状態がオフでない場合、処理をステップＳ３５へ進める。
【０１２８】
（ステップＳ３２）ステップＳ３１で「ＹＥＳ」と判定された場合、モニタ状態制御部１６０は、モニタ装置１００の電源状態をオフの状態にする。まず、モニタ状態制御部１６０は、ディスプレイ１０１において画像を非表示にさせる。
【０１２９】
（ステップＳ３３）モニタ状態制御部１６０は、全ての発光ランプ１０２を消灯させる。
（ステップＳ３４）モニタ状態制御部１６０は、モニタ装置１００の電源状態がオフであることを示す情報をモニタ状態記憶部１４０に記憶させる。
【０１３０】
以上のステップＳ３２〜Ｓ３４の状態では、モニタ状態制御部１６０は、スケーラ部１２０、遅延回路１２８およびベース接地回路１３０以外のデバイスに電源を供給しないよう電源部１１０を制御する。
【０１３１】
なお、ステップＳ３２〜Ｓ３４の処理順は変更可能である。
（ステップＳ３５）モニタ状態制御部１６０は、ビデオ信号線３２ａを経由して、情報処理装置２００からビデオ信号が入力されているか判定する。ビデオ信号が入力されている場合、処理をステップＳ３６へ進める。ビデオ信号が入力されていない場合、処理をステップＳ３９へ進める。
【０１３２】
（ステップＳ３６）ステップＳ３５で「ＹＥＳ」と判定された場合、モニタ状態制御部１６０は、モニタ装置１００の電源状態をオンの状態にする。まず、モニタ状態制御部１６０は、ディスプレイ１０１に画像を表示させる。
【０１３３】
（ステップＳ３７）モニタ状態制御部１６０は、緑色の発光ランプ１０２を点灯させる。
（ステップＳ３８）モニタ状態制御部１６０は、モニタ装置１００の電源状態がオンであることを示す情報をモニタ状態記憶部１４０に記憶させる。
【０１３４】
なお、ステップＳ３６〜Ｓ３８の処理順は変更可能である。
（ステップＳ３９）ステップＳ３５で「ＮＯ」と判定された場合、モニタ状態制御部１６０は、モニタ装置１００の電源状態をオン（節電）の状態にする。まず、モニタ状態制御部１６０は、電源制御部１１２にディスプレイ１０１への電源供給を停止させ、ディスプレイ１０１において画像を非表示にさせる。
【０１３５】
（ステップＳ４０）モニタ状態制御部１６０は、橙色の発光ランプ１０２を点灯させる。
（ステップＳ４１）モニタ状態制御部１６０は、モニタ装置１００の電源状態がオン（節電）であることを示す情報をモニタ状態記憶部１４０に記憶させる。
【０１３６】
なお、ステップＳ３９〜Ｓ４１の処理順は変更可能である。
また、モニタ装置１００が情報処理装置２００の給電部２０３から電源の供給を受けている場合、図１２のステップＳ２１〜Ｓ２３および図１３のステップＳ３９〜Ｓ４１の処理が実行されることはない。なぜなら、図１０に示したように、ビデオ信号が出力されず、ＤＤＣ電圧が出力される状態（電源状態“Ｓ３”〜“Ｓ５”）では、情報処理装置２００の給電部２０３から電力が出力されないため、モニタ装置１００のスケーラ部１２０に電源が供給されず、スケーラ部１２０が停止状態になるからである。
【０１３７】
以上の図１２，図１３の処理によれば、モニタ装置１００が連動モードであるとき、ステップＳ１３〜Ｓ２３に示すように、モニタ装置１００の電源状態は、情報処理装置２００の電源状態の変化に伴って変化する。一方、モニタ装置１００が非連動モードであるとき、ステップＳ３１〜Ｓ４１に示すように、モニタ装置１００の電源状態は基本的に、接続された情報処理装置とは連動せずに、モニタ状態記憶部１４０に記憶された状態となるように制御される。ただし、モニタ状態記憶部１４０に電源オン状態と記憶されていた場合でも、ビデオ信号が入力されていない場合には、オン（節電）の状態となる。
【０１３８】
図１４は、モニタ装置の電源ボタン押下時の処理の例を示すフローチャートである。図１４の処理は、モニタ装置１００に外部から電源が供給され、スケーラ部１２０が動作していることが前提である。また、図１４に示す処理において、モニタ装置１００への電源の供給元は特に問わない。以下、図１４に示す処理をステップ番号に沿って説明する。
【０１３９】
（ステップＳ５１）電源ボタン１０３が押下されると、モニタ状態制御部１６０は、ＸＰＯＷ信号４５の電圧がＨＩＧＨレベルからＬＯＷレベルに遷移したことを検知する。
（ステップＳ５２）モニタ状態制御部１６０は、連動信号検知部１５０からの通知に基づき、ＰＳＳＷ信号４４の電圧がＨＩＧＨレベルか判定する。このとき、モニタ状態制御部１６０は、ＸＰＯＷ信号４５の電圧変化検知時から所定時間内において、ＰＳＳＷ信号４４の電圧がＨＩＧＨレベルか判定する。ＰＳＳＷ信号４４の電圧がＨＩＧＨレベルの場合、処理をステップＳ５３へ進める。ＰＳＳＷ信号４４の電圧がＬＯＷレベルの場合、処理をステップＳ５５へ進める。
【０１４０】
（ステップＳ５３）この状態では、電源ボタン１０３の押下の前からモニタ装置１００の動作モードは連動モードである。モニタ状態制御部１６０は、ＸＰＯＷ信号４５の電圧がＬＯＷレベルからＨＩＧＨレベルに遷移したか判定する。ＰＳＳＷ信号４４の電圧が遷移した場合、処理をステップＳ５４へ進める。ＰＳＳＷ信号４４の電圧が遷移するまで、ステップＳ５３の処理が繰り返される。
【０１４１】
ステップＳ５１，Ｓ５２，Ｓ５３の順に処理が実行された場合、制御信号線３１ａの電圧がＨＩＧＨレベル、ＬＯＷレベル、ＨＩＧＨレベルと変化して、情報処理装置２００に対して電源制御信号が出力される。情報処理装置２００の電源状態制御部２５０は、電源制御信号が入力されると、情報処理装置２００の電源状態を変更する。変更の仕方については後述する。
【０１４２】
（ステップＳ５４）モニタ状態制御部１６０は、連動信号検知部１５０からの通知に基づき、ＰＳＳＷ信号４４の電圧がＨＩＧＨレベルか判定する。ＰＳＳＷ信号４４の電圧がＨＩＧＨレベルの場合、処理を図１２のステップＳ１３へ進める。ＰＳＳＷ信号４４の電圧がＬＯＷレベルの場合、モニタ状態制御部１６０は、モニタ装置１００を非連動モードに設定し、処理を図１２のステップＳ１２へ進める。
【０１４３】
なお、ステップＳ５２でＨＩＧＨレベルのＰＳＳＷ信号４４の電圧が検知された場合、ステップＳ５４において、ＰＳＳＷ信号４４の電圧は、通常ＨＩＧＨレベルとなる。ステップＳ５４において、ＰＳＳＷ信号４４の電圧がＬＯＷレベルになる場合とは、例えば、電源ボタン１０３の押下中に制御信号ケーブル３１が抜ける場合である。このとき、ステップＳ５４の処理をせずにステップＳ１３を実行すると、制御信号ケーブル３１で情報処理装置２００と接続されていないにもかかわらず、モニタ装置１００の電源状態が、情報処理装置２００の電源状態に連動することになる。そこで、ステップＳ５４の処理により、モニタ装置１００が制御信号ケーブル３１により情報処理装置２００と接続されていないときは、モニタ装置１００の電源状態を情報処理装置２００の電源状態に連動しないよう制御できる。
【０１４４】
（ステップＳ５５）この状態では、電源ボタン１０３の押下の前からモニタ装置１００の動作モードは非連動モードである。モニタ状態制御部１６０は、モニタ装置１００の電源状態がオフか判定する。モニタ装置１００の電源状態は、モニタ状態記憶部１４０に記憶されているモニタ装置１００の電源状態を示す情報を参照することで判定される。モニタ装置１００の電源状態がオフである場合、モニタ状態制御部１６０は、モニタ装置１００の電源状態をオンに切り替えるため、処理をステップＳ３５へ進める。モニタ装置の電源状態がオフでない場合、モニタ状態制御部１６０は、モニタ装置１００の電源状態をオフに切り替えるため、処理をステップＳ３２へ進める。
【０１４５】
ここで、上記の図１２〜図１４の処理によって実現される動作の一例について示す。
図１５は、モニタ装置の操作により情報処理装置の電源状態をオフにする際のシーケンス例を示す図である。図１５に示す処理において、初期状態では、モニタ装置１００は連動モードとなっており、モニタ装置１００の電源状態はオンであり、情報処理装置２００の電源状態は“Ｓ０”とする。また、モニタ装置１００には、情報処理装置２００以外の場所から電源が供給されているものとする。
【０１４６】
この状態から、モニタ装置１００の電源ボタン１０３が操作される（ステップＳ１１１）。これにより、モニタ装置１００側のＰＣＳＵＳ信号４３ａがＨＩＧＨレベル、ＬＯＷレベル、ＨＩＧＨレベルと変化し、情報処理装置２００側のＰＣＳＵＳ信号４３ｂも同様に変化する（ステップＳ１１２）。以上のステップＳ１１１，Ｓ１１２の動作は、図１４のステップＳ５１，Ｓ５２，Ｓ５３，Ｓ５４（ＮＯ）という遷移に対応する。
【０１４７】
情報処理装置２００の電源状態制御部２５０は、モニタ装置１００からの電源制御信号の入力を検知する（ステップＳ１１３）。具体的には、ＰＣＳＵＳ信号４３ｂの上記変化により、検知信号２２５ａには電源ボタン２０１が操作された場合と同じ電圧の変化が現れ、プロセッサ２２１は検知信号２２５ａのこの電圧変化を検知することで、電源状態の変更が指示されたと判定する。
【０１４８】
電源状態制御部２５０は、情報処理装置２００の電源状態を“Ｓ０”から“Ｓ５”に遷移させる（ステップＳ１１４）。これにより、情報処理装置２００からモニタ装置１００へのビデオ信号およびＤＤＣ電圧の出力が停止する（ステップＳ１１５）。
【０１４９】
モニタ装置１００のモニタ状態制御部１６０は、ビデオ信号およびＤＤＣ電圧の入力が停止されたことを検知して、モニタ装置１００の電源状態をオフに遷移させる（ステップＳ１１６）。このステップＳ１１６の処理は、図１２のステップＳ１３，Ｓ１７，Ｓ２１〜Ｓ２３の処理に対応する。
【０１５０】
なお、図１５のステップＳ１１４での情報処理装置２００の状態遷移は一例に過ぎない。電源ボタン１０３が操作されたときの情報処理装置２００の状態遷移の例については後述する。
【０１５１】
以上の図１５の動作では、連動モードにおいて、モニタ装置１００の電源ボタン１０３が操作されることで、情報処理装置２００に電源制御信号が伝達される。情報処理装置２００は、電源制御信号の受信により電源状態の変更指示があったことを認識し、情報処理装置２００の電源状態を変更する。すなわち、連動モードにおいては、モニタ装置１００の電源ボタン１０３を用いて、情報処理装置２００の電源状態を変更することが可能になり、ユーザの操作性が向上する。
【０１５２】
また、連動モードにおいては、電源ボタン１０３が操作されたこと自体は、モニタ装置１００の電源状態を変化させる契機とはならない。しかしながら、モニタ装置１００は、ビデオ信号およびＤＤＣ電圧の入力の変化から、情報処理装置２００の電源状態が変更されたことを判断し、その変更後の電源状態に応じた適切な状態に、モニタ装置１００自身の電源状態を変更する。結果的に、ユーザは、電源ボタン１０３を操作することで、情報処理装置２００とモニタ装置１００の各電源状態を連動させて変更させることが可能になる。
【０１５３】
一方、モニタ装置１００が非連動モードのとき、図１４のステップＳ５２，Ｓ５５および図１３のステップＳ３２またはステップＳ３５の順に処理が行われる。非連動モードにおいては、モニタ装置１００の電源ボタン１０３が押下されると、その時点でのモニタ装置１００の電源状態に基づいて、モニタ装置１００の電源状態が変更される。すなわち、モニタ装置１００の電源ボタン１０３はモニタ装置１００自身の電源状態を制御するためにのみ使用される。
【０１５４】
次に、モニタ装置１００に電源が供給されていない状態から、モニタ装置１００の電源ボタン１０３が操作された場合の処理について説明する。
図１６は、モニタ装置に電源が供給されていない状態からのシーケンス例を示す図である。図１６に示す処理において、初期状態では、モニタ装置１００には電源が供給されておらず、モニタ装置１００のスケーラ部１２０は動作していないものとする。また、情報処理装置２００の電源状態は“Ｓ３”〜“Ｓ５”のいずれかであるものとする。このような状態の例としては、モニタ装置１００の電源が情報処理装置２００の給電部２０３から供給されていて、情報処理装置２００の電源状態が“Ｓ３”〜“Ｓ５”のいずれかに遷移した場合が考えられる。
【０１５５】
モニタ装置１００の電源ボタン１０３が操作される（ステップＳ１２１）と、モニタ装置１００側のＰＣＳＵＳ信号４３ａがＨＩＧＨレベル、ＬＯＷレベル、ＨＩＧＨレベルと変化し、情報処理装置２００側のＰＣＳＵＳ信号４３ｂも同様に変化する（ステップＳ１２２）。このように、情報処理装置２００から連動信号が出力されている、すなわち制御信号線３１ａの電圧がＨＩＧＨレベルにされている状態では、モニタ装置１００に電源が供給されていなくても、モニタ装置１００から情報処理装置２００へ電源制御信号が出力される。
【０１５６】
情報処理装置２００の電源状態制御部２５０は、モニタ装置１００からの電源制御信号の入力を検知し（ステップＳ１２３）、情報処理装置２００の電源状態を“Ｓ０”に遷移させる（ステップＳ１２４）。これにより、情報処理装置２００の給電部２０３からモニタ装置１００への電源供給が開始される。これとともに、情報処理装置２００からモニタ装置１００へのビデオ信号およびＤＤＣ電圧の出力も開始される（ステップＳ１２５）。
【０１５７】
電源供給が開始されることで、モニタ装置１００のスケーラ部１２０の動作が開始され、モニタ状態制御部１６０が起動する（ステップＳ１２６）。モニタ状態制御部１６０は、ビデオ信号およびＤＤＣ電圧がともに入力されていることを検知して、モニタ装置１００の電源状態をオンに遷移させる（ステップＳ１２７）。このステップＳ１２７の処理は、図１２のステップＳ１３〜Ｓ１６の処理に対応する。
【０１５８】
以上の図１６に示すように、モニタ装置１００に電源が供給されていない場合でも、モニタ装置１００と連動可能な情報処理装置２００と制御信号ケーブル３１を介して接続されている状態では、ユーザは、モニタ装置１００の電源ボタン１０３の操作により、情報処理装置２００を制御するとともに、モニタ装置１００自身を起動させることが可能になる。
【０１５９】
また、モニタ装置１００が情報処理装置２００から電源の供給を受けている場合、情報処理装置２００の電源状態が“Ｓ３”〜“Ｓ５”のいずれかに遷移してしまうと、モニタ装置１００への電源の供給が停止してしまう。この場合、モニタ装置１００のプロセッサ１２１の動作が停止してしまい、情報処理装置２００と連動しなくなることが考えられる。
【０１６０】
これに対し、本実施の形態では、電源スイッチ１０３ａとしてパッシブなスイッチ回路を用い、制御信号線３１ａの電圧がＨＩＧＨレベルのときに電源ボタン１０３の押下により制御信号線３１ａの電圧をＬＯＷレベルに低下させる構成とした。これにより、モニタ装置１００は、情報処理装置２００から電源が供給されていない場合でも、モニタ装置１００の電源ボタン１０３の操作により、情報処理装置２００を制御して電源供給を再開させることができる。これにより、モニタ装置１００自身も起動することができる。すなわち、電源供給をどこから受けてもモニタ装置１００を情報処理装置２００と連動させることが可能になり、モニタ装置１００の汎用性が高まる。
【０１６１】
次に、図１７〜図２０では、電源ボタン１０３の操作や、制御信号ケーブル３１の抜き差しによるモニタ装置１００の状態の遷移について、状態遷移表６３〜６６を用いて説明する。状態遷移表６３〜６６において、ランプの項目は発光ランプ１０２の発光状態および発光時の色を示し、モニタ電源の項目はモニタ装置１００の電源状態を示す。また、状態遷移表６３〜６６において、ランプおよびモニタ電源の項目の上部に、ランプおよびモニタ電源の状態に対応する電源ボタン１０３の操作、または、制御信号ケーブル３１の抜き差しによるモニタ装置１００の状態を記載する。
【０１６２】
まず、図１７，図１８において、制御信号ケーブル３１の抜き差しに応じた状態遷移の例を示す。なお、図１７，図１８では、情報処理装置２００は、制御信号線３１ａの電圧をＨＩＧＨレベルにしているものとする。この場合、モニタ装置１００の動作モードは、制御信号ケーブル３１が接続されていないとき非連動モードとなり、接続されているとき連動モードとなる。
【０１６３】
図１７は、制御信号ケーブルの抜き差しに応じた状態遷移の第１の例を示す図である。図１７において、状態遷移表６３に示すように、初期状態では、モニタ装置１００は非連動モードであり、モニタ装置１００と情報処理装置２００とは、制御信号ケーブル３１で接続されていない状態である。また、モニタ装置１００の電源は“オフ”の状態である。この状態で、制御信号ケーブル３１の接続の状態を遷移させたとき、状態遷移表６３の示すとおり、以下のようになる。
【０１６４】
情報処理装置２００と制御信号ケーブル３１で接続したとき、モニタ装置１００は連動モードとなり、モニタ装置１００の電源状態は情報処理装置２００の電源状態に連動する。
【０１６５】
そのため、制御信号ケーブル３１の接続前における情報処理装置２００の電源状態が“Ｓ０”の場合、発光ランプ１０２は“消灯”から“青”の状態に遷移し、モニタ電源は“オフ”から“オン”の状態に遷移する。
【０１６６】
また、制御信号ケーブル３１の接続前における情報処理装置２００の電源状態が“Ｓ１”または“Ｓ２”の場合、発光ランプ１０２は“消灯”から“赤”の状態に遷移し、モニタ電源は“オフ”から“オン（節電）”の状態に遷移する。
【０１６７】
また、制御信号ケーブル３１の接続前における情報処理装置２００の電源状態が“Ｓ３”〜“Ｓ５”のいずれかの場合、発光ランプ１０２は“消灯”の状態のままであり、モニタ電源は“オフ”の状態のままである。
【０１６８】
このように、モニタ装置１００に制御信号ケーブル３１が接続されたとき、電源ボタン１０３の操作によらず、モニタ装置１００の電源状態は情報処理装置２００の電源状態に応じた適切な状態に変化する。例えば、電源状態が“Ｓ０”である情報処理装置２００に制御信号ケーブル３１で接続したとき、モニタ装置１００は電源オンの状態になり、ディスプレイ１０１に自動的に画像が表示される。
【０１６９】
ユーザはモニタ装置１００に制御信号ケーブル３１を差し込むとき、差し込むことで情報処理装置２００をモニタ装置１００側から制御できることを認識しているはずである。このような状態のときに、制御信号ケーブル３１が差し込まれるだけでモニタ装置１００の電源状態が自動的に情報処理装置２００の状態に応じた適切な状態となることで、ユーザの使い勝手が向上する。
【０１７０】
次に、情報処理装置２００から制御信号ケーブル３１を抜いたとき、モニタ装置１００は非連動モードとなり、モニタ装置１００の電源状態は情報処理装置２００の電源状態に連動しない状態となる。
【０１７１】
そのため、制御信号ケーブル３１を抜く前における情報処理装置２００の電源状態が“Ｓ０”の場合、発光ランプ１０２は“青”から“緑”の状態に遷移し、モニタ電源は“オン”の状態のままとなる。
【０１７２】
また、制御信号ケーブル３１を抜く前における情報処理装置２００の電源状態が“Ｓ１”または“Ｓ２”の場合、発光ランプ１０２は“赤”から“橙”の状態に遷移し、モニタ電源は“オン（節電）”の状態のままとなる。
【０１７３】
また、制御信号ケーブル３１を抜く前における情報処理装置２００の電源状態が“Ｓ３”〜“Ｓ５”のいずれかの場合、発光ランプ１０２は“消灯”の状態のままであり、モニタ電源は“オフ”の状態のままとなる。
【０１７４】
ここで、情報処理装置２００から制御信号ケーブル３１を抜いたとき、情報処理装置２００の電源状態が“Ｓ０”〜“Ｓ２”のいずれかの場合には、モニタ装置１００の電源状態は変化しないものの、発光ランプ１０２の色は変化する。これにより、ユーザは、モニタ装置１００の動作モードを認識することができる。
【０１７５】
この後、情報処理装置２００と制御信号ケーブル３１で再度接続したとき、モニタ装置１００は連動モードとなり、モニタ装置１００の電源状態は情報処理装置２００の電源状態に連動する。
【０１７６】
図１８は、制御信号ケーブルの抜き差しに応じた状態遷移の第２の例を示す図である。図１８においては、情報処理装置２００の電源状態が“Ｓ０”〜“Ｓ２”であるときの遷移は図１７の遷移と同様であるので、説明を省略する。以下、情報処理装置２００の電源状態が“Ｓ３”〜“Ｓ５”の場合についてのみ説明する。
【０１７７】
図１８において、状態遷移表６４に示すように、初期状態では、モニタ装置１００は非連動モードであり、モニタ装置１００と情報処理装置２００とは、制御信号ケーブル３１で接続されていない状態である。ここで、モニタ電源は“オン（節電）”であるが、情報処理装置２００の電源状態は“Ｓ３”〜“Ｓ５”であり、モニタ装置１００の電源状態は、情報処理装置２００に連動した適切な状態になっていない。
【０１７８】
この状態で、情報処理装置２００と制御信号ケーブル３１で接続したとき、モニタ装置１００は連動モードとなり、モニタ装置１００の電源状態は、情報処理装置２００の電源状態に連動する。そのため、発光ランプ１０２は“橙”から“消灯”の状態に遷移し、モニタ電源は“オン（節電）”から“オフ”の状態へ遷移する。すなわち、モニタ装置１００の電源状態は、情報処理装置２００に連動した適切な状態に変化する。
【０１７９】
その後、情報処理装置２００から制御信号ケーブル３１を抜いたとき、および、さらに
情報処理装置２００と制御信号ケーブル３１で接続したときの状態遷移は、図１７の場合と同様である。
【０１８０】
以上の図１７〜図１８で説明したとおり、モニタ装置１００の状態は、モニタ装置１００を制御信号ケーブル３１により接続することで、情報処理装置２００の電源状態と連動した適切な状態に変化する。これにより、ユーザは、電源ボタン１０３や電源ボタン２０１を操作せずに、モニタ装置１００の電源状態を情報処理装置２００の電源状態に連動させることが可能となる。よって、各装置の連動性が高まり、ユーザの利便性が向上する。
【０１８１】
なお、上記の図１７，図１８では、制御信号ケーブル３１の抜き差しによりモニタ装置１００の動作モードを切り替える例を示した。しかし、例えば、制御信号ケーブル３１を介してモニタ装置１００と情報処理装置２００とを接続したままの状態において、情報処理装置２００側がＰＣＳＵＳ信号４３ｂのオン／オフを切り替えることで、モニタ装置１００の動作モードが切り替えられる場合でも、図１７，図１８と同様の状態遷移が行われる。
【０１８２】
次に、図１９，図２０において、モニタ装置１００の電源ボタン１０３への操作に応じた状態遷移の例を示す。
図１９は、連動モードにおける電源ボタン操作時の状態遷移の例を示す図である。なお、図１９の状態遷移表６５には、モニタ装置１００の電源状態の遷移例についても示している。
【０１８３】
図１９では、モニタ装置１００は連動モードとなっており、モニタ装置１００と情報処理装置２００とは、制御信号ケーブル３１で接続されている状態である。この状態で、電源ボタン１０３を操作した場合、状態遷移表６５の示すとおり、以下のようになる。
【０１８４】
電源ボタン１０３の操作前における情報処理装置２００の電源状態が“Ｓ０”の場合、情報処理装置２００の電源状態は、“Ｓ１”〜“Ｓ５”のいずれかに切り替わる。どの電源状態に切り替わるかは情報処理装置２００の設定による。
【０１８５】
情報処理装置２００の電源状態が“Ｓ１”または“Ｓ２”に切り替わった場合、発光ランプ１０２は“青”から“赤”の状態に遷移し、モニタ電源は“オン”から“オン（節電）”の状態に遷移する。情報処理装置２００の電源状態が“Ｓ３”〜“Ｓ５”のいずれかに切り替わった場合、発光ランプ１０２は“青”から“消灯”の状態に遷移し、モニタ電源は“オン”から“オフ”の状態に遷移する。
【０１８６】
電源ボタン１０３の操作前における、情報処理装置２００の電源状態が“Ｓ０”以外の場合、情報処理装置２００の電源状態は、“Ｓ０”に切り替わる。
そのため、情報処理装置２００の電源状態が“Ｓ１”または“Ｓ２”の場合、発光ランプ１０２は“赤”から“青”の状態に遷移し、モニタ電源は“オン（節電）”から“オン”の状態に遷移する。また、情報処理装置２００の電源状態が“Ｓ３”〜“Ｓ５”のいずれかの場合、発光ランプ１０２は“消灯”から“青”の状態に遷移し、モニタ電源は“オフ”から“オン”の状態に遷移する。
【０１８７】
このように、モニタ装置１００は、電源ボタン１０３の操作により、制御信号ケーブル３１で接続されている情報処理装置２００の電源状態を切り替えることができる。これにより、ユーザは電源ボタン１０３および電源ボタン２０１を探す必要が無くなるため、利便性が向上する。
【０１８８】
なお、図１９の状態遷移表６５は、モニタ装置１００の電源ボタン１０３を操作した場合の電源状態の遷移を示したものであるが、情報処理装置２００の電源ボタン１０３を操作した場合も、図１９と全く同じ状態遷移が行われる。すなわち、モニタ装置１００が連動モードであるとき、ユーザは、モニタ装置１００または情報処理装置２００のいずれかの電源ボタンを操作することで、双方の装置の電源状態を変更できる。よって、ユーザによる電源切り替えの利便性が向上する。
【０１８９】
また、図１７〜図１８や、図１９の初期状態（左側の状態）に示すように、モニタ状態制御部１６０は、モニタ装置１００の電源状態を“オン”、“オン（節電）”、“オフ”の３段階に制御する。これにより、モニタ装置１００の電源状態が２段階しか制御できない場合と比較して、次のような効果が生じる。
【０１９０】
例えば、モニタ装置１００の電源状態をオンとオフの２段階にしか制御できず、情報処理装置２００の電源状態が“Ｓ１”または“Ｓ２”のとき、モニタ装置１００の電源状態がオフになるとする。この場合、電源ボタン１０３の操作に応じて情報処理装置２００の電源状態が“Ｓ１”または“Ｓ２”から“Ｓ０”に遷移するまでの時間が、モニタ装置１００の電源状態がオフからオンになるまでの時間より長くなる可能性がある。これに対し、情報処理装置２００の電源状態が“Ｓ１”または“Ｓ２”のとき、モニタ装置１００の電源状態をオン（節電）にすることで、上記のタイムラグを短縮することができる。
【０１９１】
また、例えば、モニタ装置１００の電源状態をオンとオフの２段階にしか制御できず、情報処理装置２００の電源状態が“Ｓ３”〜“Ｓ５”のとき、モニタ装置１００の電源状態がオン（節電）になるとする。この場合、情報処理装置２００の電源状態が省電力効果の高い“Ｓ３”〜“Ｓ５”であるとき、モニタ装置１００での省電力効果が低くなる。これに対し、情報処理装置２００の電源状態が“Ｓ３”〜“Ｓ５”のとき、モニタ装置１００の電源状態をオフにすることで、モニタ装置１００での省電力効果を高めることができる。
【０１９２】
図２０は、非連動モードにおける電源ボタン操作時の状態遷移の例を示す図である。図２０では、モニタ装置１００と情報処理装置２００とが制御信号ケーブル３１で接続されていない状態か、または、接続されているものの制御信号線３１ａの電圧がＬＯＷレベルとされる状態である。また、初期状態では、モニタ装置１００の電源状態は“オン”の状態である。この状態で、電源ボタン１０３を操作した場合、状態遷移表６６に示すとおり、以下のようになる。
【０１９３】
電源ボタン１０３の操作前における、情報処理装置２００の電源状態が“Ｓ０”の場合、発光ランプ１０２は“緑”から“消灯”の状態に遷移し、モニタ電源は“オン”から“オフ”の状態に遷移する。
【０１９４】
電源ボタン１０３の操作前における、情報処理装置２００の電源状態が“Ｓ０”以外の場合、状態遷移表６６の示すように、発光ランプ１０２は“橙”から“消灯”の状態に遷移し、モニタ電源は“オン（節電）”から“オフ”の状態に遷移する。
【０１９５】
この状態で、電源ボタン１０３を再度操作した場合、状態遷移表６６に示すとおり、以下のようになる。
電源ボタン１０３の操作前における、情報処理装置２００の電源状態が“Ｓ０”の場合、発光ランプ１０２は“消灯”から“緑”の状態に遷移し、モニタ電源は“オフ”から“オン”の状態に遷移する。
【０１９６】
電源ボタン１０３の操作前における、情報処理装置２００の電源状態が“Ｓ０”以外の場合、状態遷移表６６の示すように、発光ランプ１０２は“消灯”から“橙”の状態に遷移し、モニタ電源は“オフ”から“オン（節電）”の状態に遷移する。
【０１９７】
このように、制御信号ケーブル３１で情報処理装置２００と接続されていない状態では、電源ボタン１０３の操作によりモニタ装置１００の電源状態を切り替えることができる。そのため、モニタ装置１００との連動機能を備えていない情報処理装置に対しても、モニタ装置１００を接続して使用することができる。よって、モニタ装置１００の汎用性が向上する。
【０１９８】
以上の各実施の形態に関し、さらに以下の付記を開示する。
（付記１）  情報処理装置から受信した画像信号に基づいて画像を表示する表示装置において、
前記情報処理装置の電源状態を変更するための電源制御信号を、前記情報処理装置に送信するための信号線が接続されるコネクタと、
前記コネクタに対する前記信号線の接続を検知したとき、前記表示装置の電源状態を前記情報処理装置の電源状態に基づいて変更する制御部と、
を有することを特徴とする表示装置。
【０１９９】
（付記２）  電源スイッチをさらに有し、
前記電源制御信号は、前記電源スイッチへの操作に応じて出力される、
ことを特徴とする付記１記載の表示装置。
【０２００】
（付記３）  前記制御部は、
前記コネクタに前記信号線が接続されている場合、前記表示装置の電源状態を前記情報処理装置の電源状態に基づいて変更し、
前記コネクタに前記信号線が接続されていない場合、前記電源スイッチへの操作が行われたとき、その時点における前記表示装置の電源状態に基づいて前記表示装置の電源状態を変更する、
ことを特徴とする付記２記載の表示装置。
【０２０１】
（付記４）  前記制御部は、前記コネクタに対する前記信号線の接続の有無を、前記情報処理装置が前記表示装置の前記電源スイッチと連動することを示す連動信号の入力の有無によって判定することを特徴とする付記３記載の表示装置。
【０２０２】
（付記５）  前記制御部は、前記信号線の電圧に基づいて前記連動信号の入力の有無を検知し、
前記電源制御信号は、前記信号線の電圧を変化させる信号である、
ことを特徴とする付記４記載の表示装置。
【０２０３】
（付記６）  前記連動信号は、前記信号線の電圧をハイレベルにする信号であり、
前記電源制御信号は、前記電源スイッチへの操作が行われたとき、前記信号線の電圧をハイレベルからローレベルに変化させる信号である、
ことを特徴とする付記４記載の表示装置。
【０２０４】
（付記７）  前記電源スイッチを操作するための電源ボタンをさらに有し、
前記電源スイッチは、前記電源ボタンが押下されると、開放状態から導通状態に遷移して前記信号線を接地させるパッシブなスイッチ回路である、
ことを特徴とする付記６記載の表示装置。
【０２０５】
（付記８）
前記信号線と接続する前記コネクタの接続端子の電圧の立ち下がりを所定時間遅延させる遅延回路をさらに有し、
前記制御部は、前記電源スイッチへの操作が行われたとき、前記遅延回路を介して伝達された前記信号線の電圧に基づいて、前記連動信号の入力の有無を判定する、
ことを特徴とする付記６または７記載の表示装置。
【０２０６】
（付記９）  前記制御部は、前記画像信号を前記情報処理装置から送信するための映像信号ケーブルに含まれる複数種類の信号の有無に基づいて、前記情報処理装置の電源状態を３種類以上の状態として判別し、その判別結果に応じて前記モニタ装置の電源状態を３種類以上の状態に変更することを特徴とする付記１乃至８のいずれか１つに記載の表示装置。
【０２０７】
（付記１０）  前記制御部は、前記情報処理装置からの前記画像信号の有無と、前記モニタ装置に関する情報を前記情報処理装置に通知するための通信信号の送信に必要な駆動電圧の入力の有無とに基づいて、前記情報処理装置の電源状態を判別することを特徴とする付記９記載の表示装置。
【０２０８】
（付記１１）  情報処理装置と、前記情報処理装置から受信した画像信号に基づいて画像を表示する表示装置とを含む表示システムにおいて、
前記表示装置は、
前記情報処理装置の電源状態を変更するための電源制御信号を、前記情報処理装置に送信するための信号線が接続されるコネクタと、
前記コネクタに対する前記信号線の接続を検知したとき、前記表示装置の電源状態を前記情報処理装置の電源状態に基づいて変更する第１の制御部と、
を有し、
前記表示装置は、前記信号線を通じて受信した前記電源制御信号に応じて前記表示装置の電源状態を変更する第２の制御部を有する、
ことを特徴とする表示システム。
【０２０９】
（付記１２）  前記表示装置は、電源スイッチをさらに有し、
前記電源制御信号は、前記電源スイッチへの操作に応じて出力される、
ことを特徴とする付記１１記載の表示システム。
【０２１０】
（付記１３）  前記第１の制御部は、
前記コネクタに前記信号線が接続されている場合、前記表示装置の電源状態を前記情報処理装置の電源状態に基づいて変更し、
前記コネクタに前記信号線が接続されていない場合、前記電源スイッチへの操作が行われたとき、その時点における前記表示装置の電源状態に基づいて前記表示装置の電源状態を変更する、
ことを特徴とする付記１２記載の表示システム。
【０２１１】
（付記１４）  前記情報処理装置は、当該情報処理装置が前記表示装置の前記電源スイッチと連動することを示す連動信号を出力する出力部をさらに有し、
前記第１の制御部は、前記コネクタに対する前記信号線の接続の有無を、前記連動信号の入力の有無によって判定する、
ことを特徴とする付記１３記載の表示システム。
【０２１２】
（付記１５）  前記第１の制御部は、前記信号線の電圧に基づいて前記連動信号の入力の有無を検知し、
前記電源制御信号は、前記信号線の電圧を変化させる信号である、
ことを特徴とする付記１４記載の表示システム。
【０２１３】
（付記１６）  前記出力部は、当該情報処理装置が前記表示装置の前記電源スイッチと連動する状態であるとき、前記信号線の電圧をハイレベルにすることで前記連動信号を出力し、
前記電源制御信号は、前記電源スイッチへの操作が行われたとき、前記信号線の電圧をハイレベルからローレベルに変化させる信号である、
ことを特徴とする付記１４記載の表示システム。
【０２１４】
（付記１７）  情報処理装置から受信した画像信号に基づいて画像を表示する表示装置における電源状態制御方法であって、
前記情報処理装置の電源状態を変更するための電源制御信号を、前記情報処理装置に送信するための信号線が、前記表示装置のコネクタに接続されたかを検知し、
前記コネクタに対する前記信号線の接続を検知したとき、前記表示装置の電源状態を前記情報処理装置の電源状態に基づいて変更する、
ことを特徴とする電源状態制御方法。
【符号の説明】
【０２１５】
３  信号線
１０  表示装置
１１  コネクタ
１２  制御部
２０  情報処理装置
Ｓ１、Ｓ２  ステップ
【図１】
2014197259.tif 000003
【図２】
2014197259.tif 000004
【図３】
2014197259.tif 000005
【図４】
2014197259.tif 000006
【図５】
2014197259.tif 000007
【図６】
2014197259.tif 000008
【図７】
2014197259.tif 000009
【図８】
2014197259.tif 000010
【図９】
2014197259.tif 000011
【図１０】
2014197259.tif 000012
【図１１】
2014197259.tif 000013
【図１２】
2014197259.tif 000014
【図１３】
2014197259.tif 000015
【図１４】
2014197259.tif 000016
【図１５】
2014197259.tif 000017
【図１６】
2014197259.tif 000018
【図１７】
2014197259.tif 000019
【図１８】
2014197259.tif 000020
【図１９】
2014197259.tif 000021
【図２０】
2014197259.tif 000022